(57)【要約】【課題】カラオケシステムの利用者別に指定した楽曲の情報を登録することができる電子目次本装置を提供すること。【解決手段】利用者は、リモコン機能を起動させた状態において、顧客管理機能を起動させるための予め設定されてる番号を入力する。ＣＰＵ１１は、顧客管理画面へ移行するための入力操作を認識すると、ＲＯＭ１２に格納されている、顧客管理プログラムを起動する。顧客管理プログラムが起動されると、ディスプレイ１６に顧客管理専用画面が表示される。利用者は、この入力画面において、登録する顧客の氏名を入力する。そして、利用者が決定キーを押下することによって、ＣＰＵ１１は、入力された顧客の氏名データを記憶装置１４のデータベースに格納するための登録処理を行う。【選択図】  図１
2004177534.tif 000002
【特許請求の範囲】
【請求項１】
少なくとも１つ以上の楽曲の目次リストが格納されている電子目次本装置において、
データを格納する記憶装置と、
前記記憶装置に格納されている情報を表示する表示装置と、
顧客の名と前記顧客別に関連付けられている前記目次リストとからなる顧客情報の入力を受け付ける受付手段と、
前記受付手段により受け付けられた前記顧客情報を前記記憶装置に格納する格納手段と、
前記格納手段により格納された前記顧客情報を前記表示装置に表示する表示手段と、
を備えたことを特徴とする電子目次本装置。
【請求項２】
前記受付手段により前記顧客情報の入力を受け付ける際に、前記顧客固有の識別子を発行する識別子発行手段を備え、
前記表示手段は、前記識別子発行手段により発行された前記識別子の入力を受け付けることにより、当該識別子の付与された前記顧客の前記顧客情報を表示することを特徴とする請求項１記載の電子目次本装置。
【請求項３】
前記格納手段により格納された前記顧客情報を削除する削除手段を備えたことを特徴とする請求項１、または、請求項２記載の電子目次本装置。
【請求項４】
データを格納する記憶装置と、前記記憶装置に格納されている情報を表示する表示装置とを備え、少なくとも１つ以上の楽曲の目次リストが格納されている電子目次本装置に、情報を登録する電子目次本情報登録方法において、
顧客の名と前記顧客別に関連付けられている前記目次リストとからなる顧客情報の入力を受け付ける第１のステップと、
前記第１のステップにより受け付けられた前記顧客情報を前記記憶装置に格納する第２のステップと、
前記第２のステップにより格納された前記顧客情報を前記表示装置に表示する第３のステップと、
を備えたことを特徴とする電子目次本情報登録方法。
【請求項５】
データを格納する記憶装置と、前記記憶装置に格納されている情報を表示する表示装置とを備え、少なくとも１つ以上の楽曲の目次リストが格納されている電子目次本装置に、情報を登録する電子目次本情報登録プログラムにおいて、
顧客の名と前記顧客別に関連付けられている前記目次リストとからなる顧客情報の入力を受け付ける受付機能と、
前記受付機能により受け付けられた前記顧客情報を前記記憶装置に格納する格納機能と、
前記格納機能により格納された前記顧客情報を前記表示装置に表示する表示機能と、
を備えたことを特徴とする電子目次本情報登録プログラム。
【請求項６】
データを格納する記憶装置と、前記記憶装置に格納されている情報を表示する表示装置とを備え、少なくとも１つ以上の楽曲の目次リストが格納されている電子目次本装置に、情報を登録する電子目次本情報登録プログラムを格納した記憶媒体において、
顧客の名と前記顧客別に関連付けられている前記目次リストとからなる顧客情報の入力を受け付ける受付機能と、
前記受付機能により受け付けられた前記顧客情報を前記記憶装置に格納する格納機能と、
前記格納機能により格納された前記顧客情報を前記表示装置に表示する表示機能と、
を備えたことを特徴とする電子目次本情報登録プログラムを格納した記憶媒体。
【発明の詳細な説明】
【０００１】
【発明の属する技術分野】
本発明は、ブック型カラオケ目次本の内容を電子データ化し、これらのデータを格納した電子目次本装置に係り、特に、利用者別に情報を登録させることによりカスタマイズが可能な電子目次本装置、電子目次本情報登録方法、電子目次本情報登録プログラム、および、電子目次本情報登録プログラムを格納した記憶媒体に関する。
【０００２】
【従来の技術】
近年、通信技術の発達に伴い、業務用および個人用の通信カラオケシステムが幅広く普及してきている。また、この通信カラオケシステムの普及により、カラオケで歌える楽曲数も数万曲におよび、さらに、毎月数百曲のペースで新しい楽曲が追加配信されるようになってきている。
上述したような通信カラオケシステムを利用して希望の楽曲を歌う場合、利用者は、楽曲リストが記載された目次本を参照し、リモコン装置などを使用して該当する楽曲のＩＤ（識別子）番号を通信カラオケシステムに入力する必要がある。
しかし、数万曲におよぶ楽曲のリストから希望の楽曲を検索する作業は、非常に困難なことであり、利用者の負担も増大してしまう。
従来、このような楽曲を検索する際の利用者の負担を軽減させる技術が、下記の特許文献をはじめ種々開示されている。
【特許文献１】
特開平８−４４３７８号公報
【０００３】
特許文献１には、楽曲を選曲する際にディスプレイ上に曲名選曲用のメニューを表示し、利用者に希望の楽曲のメニューを選択させるようにしたカラオケ用選曲装置が開示されている。さらに、このカラオケ用選曲装置には、選択された楽曲のデータをカラオケシステムに転送する機能を搭載されており、コード番号の読み違え、誤入力などの不具合を解消することができる。
【０００４】
【発明が解決しようとする課題】
しかしながら、上述したようなカラオケ用選曲装置を利用することで楽曲を選曲する際の利用者の負担は軽減されるようになったが、依然として多くの楽曲リストから所望の楽曲を検索しなければならない手間が必要であった。
そのため、カラオケシステムの利用者は、頻繁にカラオケ演奏の要求をする得意な十八番の楽曲などであっても、その都度楽曲リストからこれらの楽曲を検索しなければならなかった。
そこで、本発明は、カラオケシステムの利用者別に指定した楽曲の情報を登録させることによりカスタマイズすることが可能な電子目次本装置、電子目次本情報登録方法、電子目次本情報登録プログラム、および、電子目次本情報登録プログラムを格納した記憶媒体を提供することを目的とする。
【０００５】
【課題を解決するための手段】
請求項１記載の発明では、少なくとも１つ以上の楽曲の目次リストが格納されている電子目次本装置において、データを格納する記憶装置と、前記記憶装置に格納されている情報を表示する表示装置と、顧客の名と前記顧客別に関連付けられている前記目次リストとからなる顧客情報の入力を受け付ける受付手段と、前記受付手段により受け付けられた前記顧客情報を前記記憶装置に格納する格納手段と、前記格納手段により格納された前記顧客情報を前記表示装置に表示する表示手段と、を備えることにより前記目的を達成する。
【０００６】
請求項２記載の発明では、請求項１記載の発明において、前記受付手段により前記顧客情報の入力を受け付ける際に、前記顧客固有の識別子を発行する識別子発行手段を備え、前記表示手段は、前記識別子発行手段により発行された前記識別子の入力を受け付けることにより、当該識別子の付与された前記顧客の前記顧客情報を表示することにより前記目的を達成する。
請求項３記載の発明では、請求項１、または、請求項２記載の発明において、前記格納手段により格納された前記顧客情報を削除する削除手段を備えることにより前記目的を達成する。
【０００７】
請求項４記載の発明では、データを格納する記憶装置と、前記記憶装置に格納されている情報を表示する表示装置とを備え、少なくとも１つ以上の楽曲の目次リストが格納されている電子目次本装置に、情報を登録する電子目次本情報登録方法において、顧客の名と前記顧客別に関連付けられている前記目次リストとからなる顧客情報の入力を受け付ける第１のステップと、前記第１のステップにより受け付けられた前記顧客情報を前記記憶装置に格納する第２のステップと、前記第２のステップにより格納された前記顧客情報を前記表示装置に表示する第３のステップと、を備えることにより前記目的を達成する。
【０００８】
請求項５記載の発明では、データを格納する記憶装置と、前記記憶装置に格納されている情報を表示する表示装置とを備え、少なくとも１つ以上の楽曲の目次リストが格納されている電子目次本装置に、情報を登録する電子目次本情報登録プログラムにおいて、顧客の名と前記顧客別に関連付けられている前記目次リストとからなる顧客情報の入力を受け付ける受付機能と、前記受付機能により受け付けられた前記顧客情報を前記記憶装置に格納する格納機能と、前記格納機能により格納された前記顧客情報を前記表示装置に表示する表示機能と、を備えることにより前記目的を達成する。
【０００９】
請求項６記載の発明では、データを格納する記憶装置と、前記記憶装置に格納されている情報を表示する表示装置とを備え、少なくとも１つ以上の楽曲の目次リストが格納されている電子目次本装置に、情報を登録する電子目次本情報登録プログラムを格納した記憶媒体において、顧客の名と前記顧客別に関連付けられている前記目次リストとからなる顧客情報の入力を受け付ける受付機能と、前記受付機能により受け付けられた前記顧客情報を前記記憶装置に格納する格納機能と、前記格納機能により格納された前記顧客情報を前記表示装置に表示する表示機能と、を備える電子目次本情報登録プログラムを格納することにより前記目的を達成する。
【００１０】
【発明の実施の形態】
以下、本発明の電子目次本装置における好適な実施の形態について、図１から図２６を参照して詳細に説明する。
図１は、本実施の形態に係る電子目次本装置１０の概略構成を示した図である。
図１に示すように、電子目次本装置１０は、ＣＰＵ（中央演算処理装置）１１、ＲＯＭ（リード・オンリ・メモリ）１２、ＲＡＭ（ランダム・アクセス・メモリ）１３、記憶装置１４、入力部１５、ディスプレイ１６、通信ポート１７からなり、これらの装置は、バスライン１８を介して接続されている。
また、電子目次本装置１０は、外部に設けられているカラオケ演奏装置２０と通信ポート１７を介してデータ通信が可能であり、演奏を要求する楽曲の識別番号や各種演奏モード要求を転送することができるようになっている。
【００１１】
次に、電子目次本装置１０を構成する各装置について説明する。
ＣＰＵ１１は、ＲＯＭ１２に記憶されているプログラムやＲＡＭ１３にロードされたプログラムなどに従って、各種の処理、計算、条件判断、ディスプレイ１６などの各種デバイスの制御を行う。
ＲＯＭ１２は、電子目次本装置を機能させるための基本的なプログラムやパラメータなどが記憶された読み取り専用メモリである。
ＲＡＭ１３は、番地を付与された複数の記憶素子からなり、番地を指定することによって、当該番地のデータを読み書きすることができるランダムアクセスメモリである。このＲＡＭ１３は、ＣＰＵ１１がプログラムを実行する際のワーキングエリアなどを提供する。
【００１２】
記憶装置１４は、データへのアクセス時間が短い大容量のハードディスクで構成されている。この記憶装置１４には、カラオケの楽曲リスト（目次）、および、これらの楽曲に附随する情報で構成された楽曲データベースが格納されている。詳しくは、楽曲データベースには、楽曲ＩＤ、楽曲名、歌手名、唄い出し、楽曲の属するジャンル、発売年月などのデータが格納されている。
入力部１５は、番号入力キーおよびファンクションキーなどで構成され、利用者がこれらのキーを使ってデータ入力を行うようになっている。
【００１３】
ディスプレイ１６は、ＬＣＤ（液晶ディスプレイ）およびランプなどで構成され、電子目次本装置１０の状態および警告などの各種情報を表示する。また、このディスプレイ１６に、感圧式または静電式のタッチパネルを搭載することで、直接表示画面上で文字入力やメニュー選択などが可能になる。
通信ポート１７は、単一の信号線を用いて１ビットずつ順次データを送るシリアル伝送で、外部機器と接続するためのインターフェースであり、例えば、ＲＳ−２３２Ｃ（米国電子工業会規格）、ＲＳ−４２２（米国電子工業会規格）、ＩｒＤＡ（赤外線データ通信協会規格）、ＵＳＢ（ユニバーサル・シリアル・バス）、ＩＥＥＥ１３９４（米国電気電子学会規格）、ファイバ・チャネルなどのインターフェースなどで構成されている。
【００１４】
図２は、本実施の形態に係る電子目次本装置１０の外観を示した正面図である。
図２に示すように電子目次本装置１０は、本体１０１の図示左側にディスプレイ１０に該当する液晶ディスプレイ１０２が設けられ、その右側に送信キー、選択キー、テンキー、文字入力キーなどの入力部１５に該当する操作キー１０３が設けられている。
液晶ディスプレイ１０２には、各種メニューの表示が可能になっている。具体的には、電子目次本の楽曲リスト、選択された楽曲の詳細情報、楽曲の検索画面などが表示されるようになっている。
そして、電子目次本装置１０の利用者は、液晶ディスプレイ１０２に表示されるガイダンスなどに従い、操作キー１０３を使用して必要な情報を入力したり、提示されたリストから所望の楽曲を選択したりする。
【００１５】
次にこのように構成された電子目次本装置１０における動作について説明する。
まず、電子目次本装置１０のＣＰＵ１１は、ＲＯＭ１２に格納されている、楽曲リストの検索を行う電子早見表プログラムを起動する。
すると、液晶ディスプレイ１０２に、図３に示すような電子目次本装置１０に格納されてる楽曲リストの検索を行うためのメニュー画面が表示される。
このメニュー画面が表示された後、利用者は、操作キー１０３の十字キーを操作して希望する検索機能（項目）を選択する。操作キー１０３に設けられている決定キーを押下することにより各項目の選択が可能となる。
【００１６】
次に、このメニュー画面において曲名検索の項目が選択された場合について説明する。
曲名検索の項目が選択されると、液晶ディスプレイ１０２に図４に示すような曲名から楽曲を検索するための曲名検索画面が表示される。
この曲名検索画面には、楽曲の曲名および当該楽曲の歌手名が、曲名の五十音順に表示されるようになっている。
また、絞り込み検索指定エリアに、検索する楽曲の曲名、または、曲名の頭文字（複数の先頭文字を含む）を入力することにより絞り込み検索を行うことができる。
例えば、図５に示す絞り込み検索の表示画面では、絞り込み検索指定エリアに「あい」を入力したため、「あい」から始まる曲名の楽曲リストが表示されている。
そして、利用者は、表示された楽曲リストからカラオケ演奏を希望する楽曲を選択することができるようになっている。
なお、楽曲リストから選択された楽曲は反転表示され、利用者は、選択されている項目を容易に認識することができる。
【００１７】
さらに、利用者によって、表示された楽曲リストから楽曲が選択され、決定キーが押下されると、ＣＰＵ１１は、記憶装置１４に格納されている楽曲データベースから詳細情報データを読み出し、図６に示すような当該楽曲の詳細情報表示画面を表示する。
詳細情報表示画面には、当該楽曲の歌手名、曲名、リクエスト番号（楽曲のＩＤ）、曲の唄い出し、発売年などの情報が表示されるようになっている。
また、詳細情報表示画面が表示されている状態、あるいは、検索画面において楽曲が選択されている状態で操作キー１０３の送信キーを押下すると、当該楽曲の演奏予約を行うことができる。
具体的には、利用者によって操作キー１０３の送信キーが押下されると、ＣＰＵ１１は、通信ポート１７を介して選択されている楽曲のリクエスト番号のデータをカラオケ演奏装置２０に転送する。
カラオケ演奏装置２０は、電子目次本装置１０から転送されたリクエスト番号のデータを受信すると、受信したリクエスト番号のデータを予約データ格納エリアに記憶する。
【００１８】
次に、メニュー画面において歌手名検索の項目が選択された場合について説明する。
歌手名検索の項目が選択されると、液晶ディスプレイ１０２に図７に示すような歌手名から楽曲を検索するための歌手名検索画面が表示される。この歌手名検索画面には、楽曲の歌手名が五十音順に表示されるようになっている。
この歌手名検索画面も曲名検索画面と同様にして絞り込み検索ができ、利用者は、表示された歌手名リストからカラオケ演奏を希望する歌手名を選択することができるようになっている。
利用者によって、表示された歌手名リストから歌手名が選択され、決定キーが押下されると、ＣＰＵ１１は、記憶装置１４に格納されている楽曲データベースから詳細情報データを読み出し、図８に示すような当該歌手の楽曲リスト表示画面を表示する。
【００１９】
この他、本実施の形態に係る電子目次本装置１０では、図９に示すような月別に示された新譜楽曲から検索する新譜検索、図１０に示すようなデュエット楽曲リストから検索するデュエット検索、図１１に示すような発売年別に示された楽曲リストから検索する年代別検索、図１２に示すような外国曲の楽曲リストから検索する外国曲検索、また、図１３に示すようなテレビ主題歌の楽曲リストから検索するテレビ主題歌検索ができるようになっている。
これらの各検索画面においても、曲名検索の場合と同様に絞り込み検索を行うことができるようになっている。
【００２０】
本実施の形態に係る電子目次本装置１０には、楽曲リストを表示させるための目次本機能の他に、リモコン装置としての機能（以下、リモコン機能とする）を備えている。
このリモコン機能は、メニュー画面において「リモコン」の項目を選択することにより使用することが可能となる。
利用者によって、メニュー画面の「リモコン」の項目が選択され、決定キーが押下されると、図１４に示すようなリモコン機能を使用するためのリモコン画面が液晶ディスプレイ１０２に表示される。
すると、このリモコン画面にカラオケ演奏を行う楽曲のリクエスト番号を直接入力することができ、そして、送信キーを押下することにより、通信ポート１７を介して入力されたリクエスト番号のデータをカラオケ演奏装置２０へ転送することができる。
【００２１】
また、本実施の形態に係る電子目次本装置１０は、利用者別に楽曲情報を登録管理する顧客管理機能を搭載している。
この顧客管理機能とは、頻繁に電子目次本装置１０、または、カラオケ演奏装置２０を利用する常連客などの人物を予め電子目次本装置１０の顧客リストに登録し、この登録されている顧客毎に当該顧客のお気に入りの楽曲を登録し、これらのデータを管理する機能のことである。
次に、本実施の形態に係る電子目次本装置１０に搭載されている顧客管理機能について詳しく説明する。
はじめに、顧客管理機能を使用して顧客リストに情報を登録する処理方法について説明する。
利用者は、上述したリモコン機能を起動させた状態において、顧客管理機能を起動させるための予め設定されてる番号（例えば、「１００♯」など）を押下する。
ＣＰＵ１１は、顧客管理画面へ移行するための入力操作を認識すると、ＲＯＭ１２に格納されている、顧客管理プログラムを起動する。
顧客管理プログラムが起動されると、液晶ディスプレイ１０２に顧客管理専用画面が表示される。
なお、ここで表示される顧客管理専用画面は、顧客管理機能の起動時に押下する予め設定されてる番号に依存している。
【００２２】
図１５は、「１００＃」を押下時に表示されるように設定されている、顧客情報を登録するための顧客名の入力画面を示した図である。
利用者は、この入力画面において、登録する顧客の氏名を操作キー１０３を操作して入力する。
そして、利用者が決定キーを押下することによって、ＣＰＵ１１は、入力された顧客の氏名データを記憶装置１４のデータベースに格納するための登録処理を行う。
そして、この登録処理が終了すると、ＣＰＵ１１は、液晶ディスプレイ１０２に図１６に示すような登録完了画面を表示し、登録が完了した旨の通知を行う。
入力された顧客の氏名データと同一のデータが既にデータベースに登録されている場合には、ＣＰＵ１１は、液晶ディスプレイ１０２に図１７に示すような登録完了画面を表示し、登録処理が実行されなかった旨の通知を行い、利用者に別の氏名での登録を促すようにする。
また、既にデータベースに予め設定されている登録可能件数分の情報が登録されている場合には、ＣＰＵ１１は、液晶ディスプレイ１０２に図１８に示すような追加登録不可画面を表示し、これ以上の登録が実行できない旨の通知を行う。
【００２３】
図１９は、例えば、「２００＃」を押下時に表示されるように設定されてる登録顧客リスト表示画面を示した図である。
登録顧客リスト表示画面には、記憶装置１４のデータベースに格納されている登録済みの顧客リストが五十音順に表示されるようになっている。
そして、利用者は、表示された顧客リストから顧客名を選択することができるようになっている。
また、絞り込み検索指定エリアに、検索する顧客名、または、顧客名の文字（複数の先頭文字を含む）を入力することにより絞り込み検索を行うことができる。
例えば、図２０に示す絞り込み検索の表示画面では、絞り込み検索指定エリアに「た」を入力したため、「た」から始まる顧客名リストが表示されている。
絞り込み検索を行った結果、該当する顧客名リストが存在しない場合には、図２１に示すような該当顧客リストなし画面を表示し、該当する顧客リストが存在しない旨の通知を行う。
【００２４】
表示された顧客リストから顧客名が選択されると、液晶ディスプレイ１０２に図２２に示すような楽曲を登録するための楽曲登録画面が表示される。
そして、利用者は、この楽曲登録画面の曲登録エリアに、登録する楽曲の識別ＩＤ（リクエスト番号）を入力し、決定キーを押下する。
すると、ＣＰＵ１１は、入力された識別ＩＤの楽曲データを当該顧客の楽曲情報としてデータベースに登録する。
そして、楽曲情報が登録されると、図２３に示すような登録楽曲リスト表示画面に登録された順に表示されるようになっている。
ここで表示された登録楽曲リストからカラオケ演奏を希望する楽曲を選択することができるようになっている。
また、既にデータベースに予め設定されている登録可能楽曲数分の情報が登録されている場合には、ＣＰＵ１１は、液晶ディスプレイ１０２に図２４に示すような追加楽曲登録不可画面を表示し、これ以上の楽曲登録が実行できない旨の通知を行う。
【００２５】
また、顧客リスト表示画面で顧客名を選択した状態において、（図示しない）クリアキー（削除キー）を押下することにより、図２５に示すような顧客情報削除確認画面が表示される。
この顧客情報削除確認画面において、利用者が「はい」（情報を削除することを確認）を選択した場合には、ＣＰＵ１１は、記憶装置１４のデータベースに登録されている当該顧客の情報をすべて削除する。
さらに、登録楽曲リスト表示画面で楽曲を選択した状態において、（図示しない）クリアキー（削除キー）を押下することにより、図２６に示すような登録楽曲情報削除確認画面が表示される。
この登録楽曲情報削除確認画面において、利用者が「はい」（情報を削除することを確認）を選択した場合には、ＣＰＵ１１は、記憶装置１４のデータベースに登録されている当該楽曲の情報を削除する。
このようにして、データベースへの情報の登録処理および削除処理を行うことができる。
【００２６】
上述した顧客管理機能をさらに有効に活用させるために、顧客情報の登録完了時に、各顧客固有の顧客識別ＩＤを付与し、リモコン機能を起動させた状態において、この顧客識別ＩＤを入力することにより、図２３に示すような当該顧客の登録楽曲リスト表示画面を直接表示させるようにしてもよい。
また、この顧客識別ＩＤを付与する際にパスワードを登録するようにし、登録楽曲リスト表示画面を表示させる場合にこのパスワードを入力させるようにすることにより他人が登録楽曲リストを閲覧できないようにすることもできる。
このように、本実施の形態によれば、顧客管理機能を使用して頻繁にカラオケ演奏要求を転送する楽曲（お気に入りの楽曲など）を予め顧客別に管理される登録楽曲リストに登録することにより、電子目次本装置１０のカスタマイズ化を図ることができ、利用者の利便性を向上させることができる。
【００２７】
【発明の効果】
本発明によれば、顧客の名と顧客別に関連付けられている目次リストとからなる顧客情報を記憶装置に登録することにより、カスタマイズすることが可能な電子目次本装置を提供することができる。
【図面の簡単な説明】
【図１】本実施の形態に係る電子目次本装置の概略構成を示した図である。
【図２】本実施の形態に係る電子目次本装置の外観を示した正面図である。
【図３】メニュー画面の一例を示した図である。
【図４】曲名検索画面の一例を示した図である。
【図５】絞り込み検索の表示画面の一例を示した図である。
【図６】楽曲の詳細情報表示画面の一例を示した図である。
【図７】歌手名検索画面の一例を示した図である。
【図８】楽曲リスト表示画面の一例を示した図である。
【図９】新譜検索画面の一例を示した図である。
【図１０】デュエット検索画面の一例を示した図である。
【図１１】年代別検索画面の一例を示した図である。
【図１２】外国曲検索画面の一例を示した図である。
【図１３】テレビ主題歌検索画面の一例を示した図である。
【図１４】リモコン画面の一例を示した図である。
【図１５】顧客名の入力画面の一例を示した図である。
【図１６】登録完了画面の一例を示した図である。
【図１７】登録完了画面の一例を示した図である。
【図１８】追加登録不可画面の一例を示した図である。
【図１９】登録顧客リスト表示画面の一例を示した図である。
【図２０】登録顧客リスト表示画面の一例を示した図である。
【図２１】該当顧客リストなし画面の一例を示した図である。
【図２２】楽曲登録画面の一例を示した図である。
【図２３】登録楽曲リスト表示画面の一例を示した図である。
【図２４】追加楽曲登録不可画面の一例を示した図である。
【図２５】顧客情報削除確認画面の一例を示した図である。
【図２６】登録楽曲情報削除確認画面の一例を示した図である。
【符号の説明】
１０  電子目次本装置
１１  ＣＰＵ
１２  ＲＯＭ
１３  ＲＡＭ
１４  記憶装置
１５  入力部
１６  ディスプレイ
１７  通信ポート
１８  バスライン
２０  カラオケ演奏装置
１０１  本体
１０２  液晶ディスプレイ
１０３  操作キー
【図１】
2004177534.tif 000003
【図２】
2004177534.tif 000004
【図３】
2004177534.tif 000005
【図４】
2004177534.tif 000006
【図５】
2004177534.tif 000007
【図６】
2004177534.tif 000008
【図７】
2004177534.tif 000009
【図８】
2004177534.tif 000010
【図９】
2004177534.tif 000011
【図１０】
2004177534.tif 000012
【図１１】
2004177534.tif 000013
【図１２】
2004177534.tif 000014
【図１３】
2004177534.tif 000015
【図１４】
2004177534.tif 000016
【図１５】
2004177534.tif 000017
【図１６】
2004177534.tif 000018
【図１７】
2004177534.tif 000019
【図１８】
2004177534.tif 000020
【図１９】
2004177534.tif 000021
【図２０】
2004177534.tif 000022
【図２１】
2004177534.tif 000023
【図２２】
2004177534.tif 000024
【図２３】
2004177534.tif 000025
【図２４】
2004177534.tif 000026
【図２５】
2004177534.tif 000027
【図２６】
2004177534.tif 000028